(57)【要約】【課題】より安全性を向上させた天井点検口の安全装置を提供する。【解決手段】天井Ｃに固定される外枠２と、この外枠２に開閉自在な内枠３とを備えた天井点検口１の安全装置４であって、外枠２から外された内枠３の落下を防止する掛止縦板材４１と、外枠２に設けられて、掛止縦板材４１が挿通自在にされるとともに、掛止縦板材４１の上端部（水平部４２）が掛け止めら得る外枠用受具と、内枠３に設けられて、掛止縦板材４１が挿通自在にされるとともに、掛止縦板材４１の下端部が掛け止められ得る内枠用受具と、内枠３に設けられて、掛止縦板材４１の下端部と内枠用受具との掛け止めを押圧により解除する掛止解除具６１とを具備し、掛止縦板材４１が上記内枠３に対面して配置されるとともに、内枠用受具の設けられた位置が内枠３の内側であり、内枠３が、その内側に採光シート３７を有し、掛止縦板材４１が、自立材である。【選択図】図１
2015067973.tif 000002
【特許請求の範囲】
【請求項１】
天井に固定される外枠と、この外枠に開閉自在な内枠とを備えた天井点検口の安全装置であって、
上記外枠から外された上記内枠の落下を防止する掛止縦板材と、
上記外枠に設けられて、上記掛止縦板材が挿通自在にされるとともに、当該掛止縦板材の上端部が掛け止めら得る外枠用受具と、
上記内枠に設けられて、上記掛止縦板材が挿通自在にされるとともに、当該掛止縦板材の下端部が掛け止められ得る内枠用受具と、
上記内枠に設けられて、上記掛止縦板材の下端部と内枠用受具との掛け止めを押圧により解除する掛止解除具とを具備し、
上記掛止縦板材が上記内枠に対面して配置されるとともに、上記内枠用受具の設けられた位置が内枠の内側であることを特徴とする天井点検口の安全装置。
【請求項２】
掛止縦板材の下端部が、逆鉤部を有し、
内枠用受具が、上記逆鉤部を掛け止める受部を有し、
掛止解除具が、上記受部に掛け止められた逆鉤部を押圧により動かして当該逆鉤部と受部との掛け止めを解除する押圧部を有することを特徴とする請求項１に記載の天井点検口の安全装置。
【請求項３】
内枠が、その内側に放光部を有し、
掛止縦板材が、自立材であることを特徴とする請求項１または２に記載の天井点検口の安全装置。
【発明の詳細な説明】
【技術分野】
【０００１】
本発明は、天井点検口の安全装置に関するものである。
【背景技術】
【０００２】
一般に天井点検口は、天井に形成された開口部の縁に設置される外枠と、この外枠の内側に設けられるとともに当該外枠から開閉自在な内枠とを有する。そして、天井点検口は、天井の点検時に、内枠が外枠から開かれて、開口部から天井の点検を行い得るようにされる。
【０００３】
ところで、天井点検口の内枠を外枠から開く作業は、脚立上の作業者が内枠を手で支えながら行われるので、作業者が手を滑らすなどした際に、安全装置が無ければ内枠が急激に開き、事故を招く危険性がある。このため、安全装置を備えた天井点検口が提案されている（例えば、特許文献１参照）。この特許文献１に開示された天井点検口は、安全装置として、外枠から垂下したロープと、このロープの下端に設けられたフックと、内枠に設けられた嵌合部とを有し、このフックを嵌合部に掛けることで、内枠の落下を防止している。
【先行技術文献】
【特許文献】
【０００４】
【特許文献１】特開平５−２３９９０８号公報
【発明の概要】
【発明が解決しようとする課題】
【０００５】
しかしながら、上記特許文献１に記載の天井点検口は、フックを嵌合部から外す際に、脚立上の作業者が内枠を少し持ち上げることで、嵌合部をフックの掛外し位置まで上げる必要がある。このため、上記天井点検口のフックを嵌合部から外すには、作業者が一方の手で内枠を少し持ち上げ、他方の手でフックおよび嵌合部を扱わなければならない。すなわち、上記天井点検口は、フックを嵌合部から外す際に、作業者が片手で内枠を支えなければならず、内枠を落下させる危険性がある。特に、内枠が大型であれば、高重量で持ちにくいものとなり、この危険性はさらに高くなる。
【０００６】
また、上記天井点検口は、嵌合部が内枠から顕著に突出しているので、内枠を外枠から外して下げる際に、嵌合部が作業者の服に引っ掛かりやすく、脚立上の作業者がバランスを崩す危険性もある。
【０００７】
そこで、本発明は、上記課題を解決して、より安全性を向上させた天井点検口の安全装置を提供することを目的とする。
【課題を解決するための手段】
【０００８】
上記課題を解決するため、本発明の請求項１に係る天井点検口の安全装置は、天井に固定される外枠と、この外枠に開閉自在な内枠とを備えた天井点検口の安全装置であって、
上記外枠から外された上記内枠の落下を防止する掛止縦板材と、
上記外枠に設けられて、上記掛止縦板材が挿通自在にされるとともに、当該掛止縦板材の上端部が掛け止めら得る外枠用受具と、
上記内枠に設けられて、上記掛止縦板材が挿通自在にされるとともに、当該掛止縦板材の下端部が掛け止められ得る内枠用受具と、
上記内枠に設けられて、上記掛止縦板材の下端部と内枠用受具との掛け止めを押圧により解除する掛止解除具とを具備し、
上記掛止縦板材が上記内枠に対面して配置されるとともに、上記内枠用受具の設けられた位置が内枠の内側であるものである。
【０００９】
また、本発明の請求項２に係る天井点検口の安全装置は、請求項１に記載の天井点検口の安全装置において、掛止縦板材の下端部が、逆鉤部を有し、
内枠用受具が、上記逆鉤部を掛け止める受部を有し、
掛止解除具が、上記受部に掛け止められた逆鉤部を押圧により動かして当該逆鉤部と受部との掛け止めを解除する押圧部を有するものである。
【００１０】
さらに、本発明の請求項３に係る天井点検口の安全装置は、請求項１または２に記載の天井点検口の安全装置における内枠が、その内側に放光部を有し、
掛止縦板材が、自立材であるものである。
【発明の効果】
【００１１】
上記天井点検口の安全装置によると、より安全性を向上させることができる。
【図面の簡単な説明】
【００１２】
【図１】本発明の実施の形態に係る天井点検口およびその安全装置を室内から見た概略斜視図であり、（ａ）は内枠が閉じられた状態を示し、（ｂ）は内枠が開かれた状態を示す。
【図２】同天井点検口およびその安全装置の図１におけるＡ−Ａ断面図であり、（ａ）は内枠が閉じられた状態を示し、（ｂ）は内枠が開かれた状態を示す。
【図３】同天井点検口およびその安全装置の図２におけるＢ−Ｂ矢視図であり、（ａ）は内枠が閉じられた状態を示し、（ｂ）は内枠が開かれた状態を示す。
【図４】同天井点検口の内枠に設けられた内枠用受具および掛止解除具の可撓上部における拡大断面図であり、（ａ）は逆鉤部が受部に掛け止められた状態を示し、（ｂ）は掛け止めが解除された状態を示す。
【発明を実施するための形態】
【００１３】
以下、本発明の実施の形態に係る天井点検口の安全装置について図面に基づき説明する。
まず、上記天井点検口の概略について説明する。
【００１４】
図１に示すように、この天井点検口１は、天井開口部Ｈの縁に設けられた矩形状の外枠２と、この外枠２の内側に設けられた矩形状の内枠３とを備える。上記外枠２は、枠状体であり、その内側を内枠３が収まる空間にされている。上記内枠３は、外枠２に対して開閉自在にされており、１つの外枠２に対して単数または複数（図１では一例として２つ）配置される。上記内枠３は、一方の長辺３２が外枠２に対して回転自在にされるとともに、他方の長辺３３が下がり得るようにされている。すなわち、上記内枠３は、図１（ｂ）に示すように、上記一方の長辺３２がヒンジ部として機能するとともに上記他方の長辺３３が下がり得るものであり、上記外枠２に対する蓋として機能する。
【００１５】
また、上記外枠２および内枠３には、外枠２に対して内枠３を固定し得る固定装置（図示省略）が設けられている。この固定装置は、例えばコインロックであり、下面にコインを受ける溝が形成された垂直のロック軸と、このロック軸から水平に突出して他方の長辺３３に掛けられ得る爪片とを有する。すなわち、このコインロックは、コインによりロック軸を回転させて爪片が他方の長辺３３に掛けられると、内枠３を固定し、コインによりロック軸を回転させて爪片が他方の長辺３３から外されると、内枠３の固定を解除するようにされている。
【００１６】
ところで、内枠３の内側は、図１および図２に示すように、採光シート（放光部である）３７が設けられており、天井開口部Ｈに採り入れられた太陽光を内枠３の下方（つまり室内）に導くようにされている。
【００１７】
さらに、上記外枠２および内枠３における他方の長辺３３には、図１〜図３に示すように、内枠３の落下を防止する安全装置４が設けられている。この安全装置４は、内枠３における上記他方の長辺３３が所定高さより下に下がらないようにするものである。具体的に説明すると、この安全装置４は、上端部および下端部がそれぞれ外枠２および内枠３に掛け止められる掛止縦板材４１を具備し、この掛止縦板材４１により、内枠３における上記他方の長辺３３が所定高さより下に下がらないようにされている。
【００１８】
以下、本発明の要旨である上記安全装置４について詳細に説明する。
この安全装置４は、図２および図３に示すように、上記掛止縦板材４１が掛け止められ得る、外枠２の上端からその内側に亘って設けられた外枠用受具５２と、内枠３の内側に設けられた内枠用受具５３とを具備する。上記外枠用受具５２は、上記掛止縦板材４１が上下方向に挿通自在にされるとともに、当該掛止縦板材４１の上端部が掛け止めら得るものである。上記内枠用受具５３は、上記掛止縦板材４１が上下方向に挿通自在にされるとともに、当該掛止縦板材４１の下端部が掛け止められ得るものである。上記掛止縦板材４１は、上記内枠３の側面３６と略平行に（つまり対面して）配置されたフラットバー状の光反射性を有する自立材（例えば金具）である。また、上記掛止縦板材４１は、それぞれ外枠用受具５２および内枠用受具５３に掛け止められ得るものとして、上端部にストッパーとして水平部４２を有し、下端部にストッパーとして逆鉤部（詳細は図４に示す）４３を有する。水平部４２は、簡素な構造とするために、上記掛止縦板材４１の上端部を水平に折り曲げて形成される。
【００１９】
上記内枠用受具５３は、図４に示すように、外側（つまり内枠３の内側面３６ｉに接触する側）に、上記掛止縦板材４１の逆鉤部４３を掛け止める受部５４が備えられている。また、上記内枠用受具５３は、内側に、上記掛止縦板材４１の下端部を案内する案内面部５７が備えられている。この案内面部５７は、その上端部が内側に傾斜するように曲げられて、上記掛止縦板材４１の下端部をより案内しやすい形状にされている。上記内枠用受具５３は、案内面部５７の左右両端から内枠３の内側面３６ｉにかけて、端面部５８がそれぞれ備えられている。上記掛止縦板材４１の下端部が挿通されるのは、上記受部５４、案内面部５７および両端面部５８からなる開口である。
【００２０】
上記安全装置４は、図１〜図３に示すように、上記内枠３の外側面３６ｏに設けられて、上記掛止縦板材４１の逆鉤部４３と内枠用受具５３との掛け止めを押圧により解除する掛止解除具６１も具備する。この掛止解除具６１は、図２および図３（ｂ）に示すように、上記内枠３の外側面３６ｏに取り付けられる取付下部６６と、作業者の指による押圧で撓み得る可撓上部（押圧部である）６２とを有する。この可撓上部６２は、図４に示すように、上端部外側に形成されて作業者の指で押圧され得るボタン部６３と、上端部内側に形成された突出部６４とを有する。ところで、上記内枠３の側面３６には、上記受部５４の下側の位置で貫通する切欠部３６ｎが形成されている。この切欠部３６ｎに突出部６４が位置するとともに、受部５４に掛け止められている逆鉤部４３と突出部６４とが接触するように、上記掛止解除具６１が配置される。言い換えれば、上記可撓上部６２は、ボタン部６３の押圧で内側へ撓むことにより、突出部６４が逆鉤部４３を受部５４よりも内側に動かして、当該逆鉤部４３と受部５４との掛け止めを解除するものである。
【００２１】
以下、上記天井点検口１の動作について説明する。
まず、コインロックにより外枠２に対して内枠３が固定されている状態、すなわち、図１（ａ）、図２（ａ）および図３（ａ）に示す状態では、天井開口部Ｈに採り入れられた太陽光が、採光シート３７を通して室内に導かれる。このとき、掛止縦板材４１はフラットバー状の光反射性を有する自立材であるから、室内に導かれる太陽光は殆ど妨げられない。
【００２２】
そして、この状態から内枠３における他方の長辺３３を下げるには、作業者がコインによりコインロックのロック軸を回転させて、コインロックによる内枠３の固定を解除する。その後、作業者は、内枠３を支えながら、内枠３における他方の長辺３３を下ろしていく。この他方の長辺３３が所定高さまで下がると、すなわち、図１（ｂ）、図２（ｂ）および図３（ｂ）の状態になると、安全装置４における掛止縦板材４１の掛け止めにより、上記他方の長辺３３がこれより下に下がらない。
【００２３】
この掛け止めを解除するためには、作業者が、両手で内枠３を支えながら、指で内枠３の外側にあるボタン部６３を押圧する。こうすると、図４（ｂ）に示すように、可撓上部６２が内側へ撓むことにより、突出部６４が逆鉤部４３を受部５４よりも内側に動かして、当該逆鉤部４３と受部５４との掛け止めが解除される。そして、逆鉤部４３が受部５４に掛け止められることなく、内枠３における他方の長辺３３を所定高さより下に下げていける。この他方の長辺３３が最も下の位置（一方の長辺３２の真下）まで下がると、作業者は内枠３から手を放しても、内枠３は動かない。その後、作業者は、外枠２の内側から身を乗り入れて、天井Ｃを点検する。
【００２４】
作業者は、天井Ｃの点検が終わると、内枠３における他方の長辺３３を押し上げていく。そして、この他方の長辺３３が所定高さまで上がろうとするときに、作業者は、掛止縦板材４１の下端部を案内面部５７に案内させて、逆鉤部４３を受部５４に掛け止めさせる。なお、案内面部５７の上端部が内側に曲げられているので、上記掛止縦板材４１の下端部はスムーズに案内される。
【００２５】
その後、作業者は、内枠３における他方の長辺３３を所定高さから押し上げていく。この他方の長辺３３が外枠２の高さまで上がると、すなわち、図１（ａ）、図２（ａ）および図３（ａ）に示す状態になると、作業者がコインによりコインロックのロック軸を回転させて、コインロックにより外枠２に対して内枠３が固定される。
【００２６】
このように、上記天井点検口１によると、安全装置４における掛止縦板材４１の掛け止めの解除を、作業者が両手で内枠３を支えたまま指でボタン部６３を押圧して行い得るので、作業者が内枠３を落下させる危険性を減少させ、より安全性を向上させることができる。
【００２７】
また、掛止縦板材４１が内枠３の側面３６と対面して配置されるとともに、内枠用受具５３が内枠３の内側に設けられているので、作業者が掛止縦板材４１や内枠用受具５３で負傷しにくく、より一層安全性を向上させることができる。
【００２８】
さらに、安全装置４における掛止縦板材４１の掛け止めにより、上記他方の長辺３３が所定高さより下に下がらないので、振動などにより自然に内枠３の固定が解除された場合であっても、この内枠３に作業者が衝突する危険性は少なく、より一層安全性を向上させることができる。
【００２９】
また、掛止縦板材４１と内枠用受具５３の掛け止めが、逆鉤部４３と受部５４とにより行われるとともに、この掛け止めの解除が、可撓上部６２で逆鉤部４３を動かすことにより行われるので、極めて簡素な構造にすることができる。
【００３０】
さらに、フラットバー状の光反射性を有する自立材の掛止縦板材４１により、室内に導かれる太陽光は殆ど妨げられないので、採光効率を高めることができる。
ところで、上記実施の形態では、内枠３における一方の長辺３２がヒンジ部として機能するとともに他方の長辺３３が下がるものとして説明したが、これに限定されるものではない。例えば、ヒンジ部として機能する辺が一方の短辺であってもよく、この場合、他方の短辺に安全装置４が設けられる。また、ヒンジ部として機能する辺がなく、すなわち内枠が外枠から取り外し可能な構造でもよく、この場合、少なくとも２つの安全装置４が対向して設けられる。
【００３１】
また、上記実施の形態では、外枠２および内枠３がそれぞれ矩形状として説明したが、この形状に限定されることなく、円形状、多角形状などであってもよい。
さらに、上記実施の形態では、フラットバー状の光反射性を有する自立材の掛止縦板材４１について説明したが、光反射性を有することは一例であって必須ではなく、自立材であればよい。
【符号の説明】
【００３２】
Ｃ    天井
Ｈ    天井開口部
１    天井点検口
２    外枠
３    内枠
４    安全装置
３２    一方の長辺
３３    他方の長辺
３５    採光シート
３６    内枠の側面
３６ｉ  内枠の内側面
３６ｏ  内枠の外側面
３６ｎ  切欠部
４１    掛止縦板材
４２    水平部
４３    逆鉤部
５２    外枠用受具
５３    内枠用受具
５４    受部
５７    案内面部
５８    端面部
６１    掛止解除具
６２    可撓上部
６３    ボタン部
６４    突出部
【図１】
2015067973.tif 000003
【図２】
2015067973.tif 000004
【図３】
2015067973.tif 000005
【図４】
2015067973.tif 000006